(57)【特許請求の範囲】
【請求項１】
防水パンの周縁部が支持フレームによって支持されたユニットルームにおいて、
該支持フレームは、防水パンの側外方に張り出す張出部を有しており、
該張出部上に柱が立設されており、
該張出部に該支持フレームの長手方向に延在する条部が設けられており、
該条部を介して該柱が支持フレームに固定されており、
ユニットルーム周囲の床パネルの縁部上面に重なるフラット部が該張出部から張り出して設けられていることを特徴とするユニットルーム。
【請求項２】
請求項１において、前記条部は凹条部であり、該凹条部の入口側には互いに接近方向に延出したフランジ部が設けられており、
該フランジ部に係合した固定ピース及び略Ｌ字形状の固定金具によって該柱が該支持フレームに固定されていることを特徴とするユニットルーム。
【請求項３】
請求項２において、前記柱に前記支持フレームの凹条部と同一断面形状の凹条部が設けられ、前記固定金具は支持フレームの凹条部と柱の凹条部に入り込み、前記固定ピースによって固定されていることを特徴とするユニットルーム。
【請求項４】
請求項３において、前記柱に設けられた凹条部を介してパネル、キャビネット又は設備機器が該柱に連結されていることを特徴とするユニットルーム。
【請求項５】
請求項１ないし４のいずれか１項において、前記支持フレームは、前記防水パンの周縁部下面に張り出すブラケット部を備えており、該ブラケット部に前記防水パンが載荷されており、該ブラケット部の上面と該防水パンの下面との間に止水材が介在されていることを特徴とするユニットルーム。
【発明の詳細な説明】
【技術分野】
【０００１】
本発明は、床面が防水パンにて構成されたユニットバスルーム等のユニットルームに係り、特に防水パン周縁部に柱が立設されているユニットルームに関する。
【背景技術】
【０００２】
床面が防水パンにて構成されたユニットルームの壁面を壁パネルにて構成する場合、この壁パネルを起立状態に支持するために防水パンの４隅に柱を立設し、隣接する壁パネル同士を該柱を介して連結することが特許文献１に記載されている。この特許文献１では、柱は防水パンの隅部に取り付けられた取付金具に支持され、立設されている。
【０００３】
特許文献２には、防水パンの外周縁に起立する水切り片に対し、柱に設けられたバックハンガーを上方から差し込んで柱を防水パンの周縁部上に立設することが記載されている。
【０００４】
特許文献３には、防水パンを支持する板状架台の４隅に取付金具を設置し、この取付金具によって柱を立設することが記載されている。
【先行技術文献】
【特許文献】
【０００５】
【特許文献１】特開２００６−１６９９１２
【特許文献２】特開２００２−７０３４１
【特許文献３】特開２００８−２２３２６４
【発明の概要】
【発明が解決しようとする課題】
【０００６】
上記特許文献１〜３では、柱を堅固に自立状に立設することはできない。例えば、特許文献１では、取付金具はＦＲＰ製の防水パンに取り付けられるものであるため、取付金具の設置剛性が不足し、柱を堅固に立設することができない。特許文献２では、柱をバックハンガーによってＦＲＰ製防水パンの水切り片に係止しており、柱を堅固に立設することはできない。特許文献３でも、取付金具は高さの低い単なる位置決め金具程度のものであり、柱を堅固に立設させることはできない。
【０００７】
また、特許文献１，３では、予め取り付けた取付金具の位置以外には柱を立設することはできない。
【０００８】
本発明は、防水パン周縁部の任意の位置に柱を自立状に堅固に立設することができるユニットルームを提供することを目的とする。
【課題を解決するための手段】
【０００９】
本発明のユニットルームは、防水パンの周縁部が支持フレームによって支持されたユニットルームにおいて、該支持フレームは、防水パンの側外方に張り出す張出部を有しており、該張出部上に柱が立設されており、該張出部に該支持フレームの長手方向に延在する条部が設けられており、該条部を介して該柱が支持フレームに固定されており、ユニットルーム周囲の床パネルの縁部上面に重なるフラット部が該張出部から張り出して設けられていることを特徴とするものである。
【００１０】
本発明の一態様では、前記条部は凹条部であり、該凹条部の入口側には互いに接近方向に延出したフランジ部が設けられており、該フランジ部に係合した固定ピース及び略Ｌ字形状の固定金具によって該柱が該支持フレームに堅固に自立状に立設固定されている。
【００１１】
この場合、前記柱に前記支持フレームの凹条部と同一断面形状の凹条部が設けられ、前記固定金具は支持フレームの凹条部と柱の凹条部に入り込み、前記固定ピースによって固定される構成とすることにより、柱と支持フレームとが強固に連結される。
【００１２】
この柱に設けられた凹条部を介してパネル、キャビネット又は設備機器が該柱に連結されてもよい。
【００１３】
本発明では、前記支持フレームは、前記防水パンの周縁部下面に張り出すブラケット部を備えており、該ブラケット部に前記防水パンが載荷されており、該ブラケット部の上面と該防水パンの下面との間に止水材が介在されていることが好ましい。
【発明の効果】
【００１４】
本発明のユニットルームでは、防水パンの周縁部を支持する枠架台に、防水パン側外方へ張り出す張出部を設け、この張出部に柱取り付け用の条部を形成したものである。本発明によると、柱を固定金具を介して該条部に堅固に固定し、自立状に立設することができる。
【００１５】
また、この条部を利用して各種キャビネットや棚板、レンジフードなどの設備機器等を設置することができる。
【００１６】
本発明では、支持フレームにブラケット部を設け、このブラケット部に防水パンを載荷させると共に、該ブラケット部の上面と防水パンの下面との間に止水材を介在させることにより、止水性を高めることができる。
【図面の簡単な説明】
【００１７】
【図１】実施の形態に係るユニットルームの柱及びフレームの配置を示す斜視図である。
【図２】図１のII−II部分の断面図である。
【図３】図１のII−II部分の断面斜視図である。
【図４】壁パネル設置構造を示す断面斜視図である。
【図５】柱の立設方法を示す断面斜視図である。
【図６】柱の固定構造を示す断面図である。
【図７】柱と梁との連結構造を示す斜視図である。
【図８】柱と梁との連結構造を示す分解図である。
【図９】実施の形態を利用したユニットバス、キッチンを示す斜視図である。
【図１０】（ａ）は図９のＸ−Ｘ線断面図、（ｂ）は（ａ）の拡大図である。
【図１１】別の実施の形態を示す斜視図である。
【発明を実施するための形態】
【００１８】
以下、図面を参照して実施の形態について説明する。
【００１９】
図１〜８は実施の形態に係るユニットルーム１を示すものである。このユニットルームはユニットバスルームであり、防水パン２の周縁部が枠形状の支持フレーム３によって支持されている。この実施の形態では、支持フレーム３は防水パン２の全周を取り巻いている。
【００２０】
支持フレーム３の四隅に柱４が立設されている。柱４，４の上端間に梁５又は６が架設されている。このユニットルーム１内に浴槽７が設置されている。
【００２１】
図２，３に明示の通り、支持フレーム３は、メインフレーム９と、該メインフレーム９に被さる介装フレーム１０と、防水パン２の側外方に張り出すようにメインフレーム９に取り付けられた張出フレーム１１とを有している。メインフレーム９は、口字型断面形状であり、一方の側面から防水パン２の下側に張り出すようにブラケット部９ａが設けられている。介装フレーム１０の一部は、このブラケット部９ａ上にまで延出した延出部１０ａとなっている。介装フレーム１０の上面部には、支持フレーム３の長手方向に延在するリブ部１０ｂ，１０ｃが設けられている。
【００２２】
張出フレーム１１は、このリブ部１０ｂ，１０ｃ上に張り出す第１フラット部１１ａと、反対方向に張り出す第２フラット部１１ｄを有する。張出フレーム１１には、上面から凹陥し、支持フレーム３の長手方向に延在する凹条部１１ｂが設けられている。この凹条部１１ｂの入口部には、互いに接近方向に突出する１対のフランジ部１１ｃ，１１ｃが設けられており、凹条部１１ｂの入口側が狭くなっている。
【００２３】
張出フレーム１１には、下方に垂下し、メインフレーム９の側面に沿って延在する垂下片１１ｅが設けられている。この垂下片１１ｅがメインフレーム９に対しスペーサ１２を介して重ね合わされ、ビス１３によって留め付けられている。
【００２４】
防水パン２の周縁部の下面には脚片部２ａが垂設されており、この脚片部２ａがメインフレーム９のブラケット部９ａ上に載荷されている。防水パン２の最外周縁部の下面と介装フレーム１０の延出部１０ａとの間には止水材１５が介在されている。第１フラット部１１ａの辺縁部と防水パン２の辺縁部との間に乾式目地材（図示略）が充填されている。
【００２５】
介装フレーム１０のリブ部１０ｂ，１０ｃ間には止水材１６が設置され、この止水材１６は該介装フレーム１０の上面部と張出フレーム１１の第１フラット部１１ａとの間に介在している。第２フラット部１１ｄは、ユニットルーム周囲の床パネル１７の縁部上面に重なっている。
【００２６】
この支持フレーム３上に柱４を立設固定するために、図５，６に示すように固定金具１８と固定ピース１９が用いられている。この固定金具１８は、支持フレーム９と柱４との双方に沿うように直交するアーム部１８ａを有した略Ｌ字形状の金具である。固定金具１８の幅は、凹条部１１ｂ及び柱４の凹条部４ａの入口幅よりも極くわずかに小さいものとなっている。
【００２７】
固定ピース１９は、張出フレーム１１の凹条部１１ｂと、柱４に設けられた凹条部４ａに入り込む大きさであるが、幅は凹条部４ａ，１１ｂの幅よりも大きい。固定ピース１９には、凹条部４ａのフランジ部４ｂ，４ｂ及び凹条部１１のフランジ部１１ｃ，１１ｃに係合する切欠段部１９ｂ，１９ｂが両側辺に設けられている。なお、柱４の凹条部４ａは、張出フレーム１１の凹条部１１ｂと同一断面形状かつ同一大きさであり、入口部には１対のフランジ部４ｂ，４ｂが設けられている。固定ピース１９には、その厚み方向に貫通し螺進可能なボルト１９ａが設けられている。
【００２８】
図６の通り、凹条部４ａ，１１ｂ内に配置されたアーム部１８ａに重なるように、固定ピース１９を配置し、該固定ピース１９のボルト１９ａを回してアーム部１８ａに向って突出させる。固定ピース１９の切欠段部１９ｂがフランジ部１１ｃ，１１ｃ、４ｂ，４ｂに係合しているので、ボルト１９ａは該固定ピース１９に反力を得てアーム部１８ａを凹条部１１ｂ，４ａの底面に強力に押し付けられる。これにより、固定金具１８が張出フレーム１１及び柱４の双方に堅固に固定され、柱４が固定金具１８を介して支持フレーム３に対し堅固に自立状に立設固定される。
【００２９】
図７，８の通り、柱４の上端には、柱４と同一断面形状のアングル材２２を介して梁５が連結される。梁５も柱４と同一断面形状である。柱４及び梁５とアングル材２２とは、それらの中心孔部４ｃ，２２ｃに継手棒２４を差し込み、該継手棒２４をビス（図示略）によって柱４、梁５及びアングル材２２に留め付けることにより堅固に連結される。梁６は、各柱４のアングル材２２，２２間に架け渡され、ビス（図示略）によってアングル材２２に固定される。
【００３０】
この梁５，６を柱４，４間に架設することにより、柱４の立設剛性が極めて高いものとなる。これらの支持フレーム３、柱４及び梁５又は６とで囲まれた部分に壁パネル２８を図４のように設置する。壁パネル２８の下辺は、１対の取付レール２６，２７間に止水材２９を介して挟持されている。取付レール２６，２７はビス（図示略）によって張出フレーム１１に固定される。図示は省略するが、壁パネル２８の側辺及び上辺は柱４、梁５又は６に対して同様に１対のレール材と止水材を介して連結される。
【００３１】
このようにして構築されたユニットルームにあっては、上述のように柱４の立設強度及び剛性が高い。また、凹条部１１ｂが支持フレーム３の長手方向に連続して延在しているので、ユニットルームの４隅部だけでなく、支持フレーム３の長手方向途中の任意の位置にも柱を堅固に自立状に立設することができる。
【００３２】
この実施の形態では、柱４と梁５又は６にも張出フレームの凹条部１１ｂと同一断面形状の凹条部４ａが設けられているので、この柱４や梁５，６の凹条部を利用して各種のパネルやキャビネット等を設置することができる。その一例を図９，１０に示す。
【００３３】
図９，１０では柱４に袖壁パネル３３が取り付けられている。また、柱４，４間にキッチンキャビネット３２が設置され、その上方に棚板パネル３４と、壁付けキャビネット３５及びレンジフード３７が設置されている。キッチンキャビネット３２の側方にはトールキャビネット３６が設置されている。
【００３４】
上記実施の形態では、支持フレーム３の張出フレーム１１に凹条部１１ｂを設けているが、凸条部を設けてもよい。図１１はその一例であり、支持フレーム４０に設けられた凸条部４１に対し柱４の下端の切欠部４ｋが嵌合し、ビス孔４２に向ってビスを打つことにより柱４が支持フレーム４０に堅固に立設される。
【００３５】
上記実施の形態はいずれも本発明の一例であり、本発明は図示以外の態様とされてもよい。例えば、支持フレーム１１，４０上にドアフレームを設置してもよい。前記防水パン２は１枚であってもよく、２以上の防水パンを連結したものであってもよい。柱３と梁５とは、柱の立設前に連結されてもよい。
【符号の説明】
【００３６】
２  防水パン
３  支持フレーム
４  柱
５，６  梁
９  メインフレーム
９ａ  ブラケット部
１０  介装フレーム
１１  張出フレーム
１１ｂ  凹条部
１８  固定金具
１９  固定ピース
２８  壁パネル
４０  支持フレーム
４１  凸条部
【図１】
0005884522.tif 000002
【図２】
0005884522.tif 000003
【図３】
0005884522.tif 000004
【図４】
0005884522.tif 000005
【図５】
0005884522.tif 000006
【図６】
0005884522.tif 000007
【図７】
0005884522.tif 000008
【図８】
0005884522.tif 000009
【図９】
0005884522.tif 000010
【図１０】
0005884522.tif 000011
【図１１】
0005884522.tif 000012